(57)【要約】【課題】鍵盤蓋とラック部材とが干渉せずに円滑に鍵盤蓋をスライドさせる。【解決手段】楽器本体１の側板５間の鍵盤部７、この鍵盤部７の後部上側の操作部８の両方の上方を覆う鍵盤蓋１０を備え、この鍵盤蓋１０に設けられたローラ１３をガイドするガイド部材１４を側板５の内面に配置し、鍵盤蓋１０の後部に取り付けられたピニオン１１が噛み合って転動するラック部材１２を側板５の内部に埋め込んだ。従って、鍵盤蓋１０をスライドさせるときに、ローラ１３がガイド部材１４でガイドされると共に、ピニオン１１がラック部材１２に噛み合って転動するので、鍵盤蓋１０が滑らかにスライドするほか、特にラック部材１２が側板５内に埋め込まれているので、ラック部材１２が鍵盤蓋１０のスライド軌跡の下側に位置することがなく、鍵盤蓋１０とラック部材１２とが干渉しないため、円滑に鍵盤蓋１０をスライドさせることができる。【選択図】　　　　図１
2004029644.tif 000002
【特許請求の範囲】
【請求項１】
楽器本体の左右両側に位置する一対の側板間に配置された鍵盤部と、
この鍵盤部の後部上側に配置された操作部と、
前記鍵盤部および前記操作部の上方を開閉可能に覆う鍵盤蓋と、
前記一対の側板にそれぞれ設けられて前記鍵盤蓋の前部両側をガイドする一対のガイド部材と、
前記鍵盤蓋の後部両側にそれぞれ回転自在に取り付けられた一対のピニオンと、
前記一対の側板内にそれぞれ埋め込まれて前記一対のピニオンが噛み合って転動する一対のラック部材と
を備えたことを特徴とする鍵盤楽器の蓋開閉装置。
【請求項２】
前記ラック部材と前記ガイド部材とは一体に形成されていることを特徴とする請求項１に記載の鍵盤楽器の蓋開閉装置。
【請求項３】
前記ガイド部材には、前記鍵盤蓋が前記鍵盤部を露出させて前記操作部の上方を覆う位置で、前記鍵盤蓋を位置規制する位置規制部が設けられていることを特徴とする請求項１または２に記載の鍵盤楽器の蓋開閉装置。
【請求項４】
前記位置規制部には、前記鍵盤蓋の前端部側を係脱可能に係止する係止部が設けられていることを特徴とする請求項３に記載の鍵盤楽器の蓋開閉装置。
【発明の詳細な説明】
【０００１】
【発明の属する技術分野】
この発明は、電子ピアノなどの鍵盤楽器の蓋開閉装置に関する。
【０００２】
【従来の技術】
従来、電子ピアノなどの鍵盤楽器においては、白鍵および黒鍵が配列された鍵盤部を開閉自在に覆う鍵盤蓋を備え、演奏するときに鍵盤蓋をスライドさせて楽器本体内に収納し、演奏しないときに鍵盤蓋を引き出して鍵盤部の上方を覆って保護するようにしたものがある。
図７〜図９はその一例を示した図である。この鍵盤楽器は、楽器本体１を備えている。この楽器本体１は、図７に示すように、底板２と、この底板２の前端部（同図では左端部）に設けられた前板３と、底板２の後端部（同図では右端部）に設けられた後板４と、底板２の左右両側（同図では紙面の表裏側）に設けられた一対の側板５と、これら一対の側板５の後部側と後板４との各上部に設けられた上板６とからなり、これによって前側上部が開放された構成になっている。
【０００３】
この楽器本体１の一対の側板５間における前部側（図７では左側部）に位置する底板２上には、白鍵７ａおよび黒鍵７ｂを鍵盤シャーシ７ｃ上に配列した鍵盤部７が、楽器本体１の前側上部に露出する状態で配置されている。この鍵盤部７の後部上方（同図では右側上方）に位置する側板５間には、電源スイッチ、音量スイッチ、音色スイッチなどの各種のスイッチが設けられた操作部８が、楽器本体１の前側上部に露出する状態で配置されている。これら鍵盤部７および操作部８の後部側に位置する底板２上には、スピーカ部９が配置されている。また、楽器本体１の上板６の下側には、図１に示すように、鍵盤部７および操作部８を開閉自在に覆う鍵盤蓋１０が引出し可能に収納されている。
【０００４】
この鍵盤楽器における蓋開閉装置は、図７および図８に示すように、鍵盤蓋１０を滑らかに引出し操作するために、鍵盤蓋１０の後部（図７では右側部）における両側にそれぞれ取付軸１１ａにより回転自在に取り付けられた一対のピニオン１１と、一対の側板５の後部（同図では右側部）における内面にそれぞれ前後方向（同図では左右方向）に沿って設けられて一対のピニオン１１がそれぞれ噛み合って転動する一対のラック部材１２と、鍵盤蓋１０の前部（同図では左側部）両側にそれぞれ取り付けられた一対のローラ１３と、一対の側板５の前部（同図では左側部）における内面にそれぞれ前後方向に沿って設けられて一対のローラ１３をそれぞれ転動可能にガイドする一対のガイド部材１４とを備えている。
【０００５】
これにより、この蓋開閉装置は、演奏するときに鍵盤蓋１０をスライドさせて楽器本体１の上板６の下側に収納し、演奏しないときに鍵盤蓋１０を上板６の下側から引き出して鍵盤部７および操作部８の上方を覆って保護するように構成されている。この場合、ラック部材１２は、図８に示すように、ピニオン１１が噛み合って転動するラック部１２ａと、ピニオン１１の取付軸１１ａの先端をガイドする軸ガイド溝１２ｂとからなり、ラック部１２ａおよび軸ガイド溝１２ｂが前上がり（同図では左上がり）に少し傾斜した状態で、ボルト１５によって側板６の内面に固定されている。
【０００６】
また、ガイド部材１４は、図７および図８に示すように、ローラ１３が転動するガイド面１４ａが鍵盤部７の前端部から操作部８の後端部に亘って前下がり（図８では左下がり）に傾斜した形状に形成され、その下部にサイドブロック１８が配置され、この状態でサイドブロック１８と共にボルト１５によって側板５の内面に固定されている。このガイド部材１４のガイド面１４ａにおける上端部には、鍵盤蓋１０が楽器本体１の上板６の下側に完全に収納されたときに、ローラ１３の前後方向への動きを規制する第１位置規制部１６が設けられている。また、このガイド面１４ａにおける下端部には、鍵盤蓋１０と前板３との間に手や指を挟まないように、鍵盤蓋１０が操作部８および鍵盤部７を完全に覆う直前で、ローラ１３の前方向への動きを規制する第２位置規制部１７が設けられている。なお、鍵盤蓋１０は、ローラ１３が第２位置規制部１７から離脱して、図７に示すように、前板３の上端部に配置されたときに、鍵盤蓋１０が操作部８および鍵盤部７を完全に覆うように構成されている。
【０００７】
【発明が解決しようとする課題】
しかしながら、このような鍵盤楽器の蓋開閉装置では、鍵盤蓋１０をスライドさせるときに、鍵盤蓋１０の後部のピニオン１１が側板５のラック部材１２に噛み合って転動すると共に、鍵盤蓋１０の前部のローラ１３が側板５のガイド部材１４のガイド面１４ａ上を転動するので、鍵盤蓋１０を軽い力でスライドさせることができるが、楽器本体１の両側に位置する側板５の内面にラック部材１２を設けているため、このラック部材１２が楽器本体１内に突出し、この突出したラック部材１２の先端部分（図９に斜線で示した左端部分Ｐ）が鍵盤蓋１０のスライド軌跡の下側に接近した状態になる。このため、鍵盤蓋１０がスライドするときに、図９に示すように、鍵盤蓋１０の下面がラック部材１２の先端部分Ｐに接触して鍵盤蓋１０とラック部材１２とが相互に干渉することがあり、これにより鍵盤蓋１０が円滑にスライドしないという問題がある。
【０００８】
このような問題は、鍵盤蓋１０が楽器本体１の上板６の下側に前上がりに少し傾斜した状態で収納され、この状態から鍵盤蓋１０が引き出されるときに、鍵盤部７がガイド部材１４のガイド面１４ａに沿って徐々に前下がりに傾斜しながらスライドするため、楽器本体１内にラック部材１２が突出して鍵盤蓋１０のスライド軌跡の下側に位置していると、図９に示すように、鍵盤蓋１０がスライドすると、その途中で鍵盤蓋１０の下面がラック部材１２の先端部分Ｐに擦れやすくなることに起因する。
【０００９】
この発明の課題は、鍵盤蓋とラック部材とが干渉し合うことがなく、円滑に鍵盤蓋をスライドさせることができるようにすることである。
【００１０】
【課題を解決するための手段】
請求項１に記載の発明は、楽器本体の左右両側に位置する一対の側板間に配置された鍵盤部と、この鍵盤部の後部上側に配置された操作部と、前記鍵盤部および前記操作部の上方を開閉可能に覆う鍵盤蓋と、前記一対の側板にそれぞれ設けられて前記鍵盤蓋の前部両側をガイドする一対のガイド部材と、前記鍵盤蓋の後部両側にそれぞれ回転自在に取り付けられた一対のピニオンと、前記一対の側板内にそれぞれ埋め込まれて前記一対のピニオンが噛み合って転動する一対のラック部材とを備えたことを特徴とする鍵盤楽器の蓋開閉装置である。
【００１１】
この発明によれば、鍵盤蓋を楽器本体内に収納して鍵盤部および操作部を露出させたり、鍵盤蓋を引き出して鍵盤部および操作部の上方を覆ったりするために、鍵盤蓋をスライドさせると、鍵盤蓋の前部両側が側板のガイド部材に沿ってガイドされると共に、鍵盤蓋の後部両側に取り付けられたピニオンがラック部材に噛み合って転動するので、鍵盤蓋を軽い力で滑らかにスライドさせることができるほか、特に一対のラック部材がそれぞれ楽器本体の両側に位置する一対の側板内にそれぞれ埋め込まれているので、従来例のようにラック部材が楽器本体内に突出して鍵盤蓋のスライド軌跡の下側に接近することがなく、ラック部材を鍵盤蓋のスライド軌跡の外部側方に配置させることができ、このため鍵盤蓋のスライド動作に伴って鍵盤蓋が前後方向にどのように傾いても、鍵盤蓋とラック部材とが干渉し合うことがなく、円滑に鍵盤蓋をスライドさせることができる。
【００１２】
請求項２に記載の発明は、前記ラック部材と前記ガイド部材とが一体に形成されていることを特徴とする請求項１に記載の鍵盤楽器の蓋開閉装置である。
この発明によれば、ラック部材とガイド部材とを一体に形成したので、部品点数の削減を図ることができると共に、ラック部材を楽器本体の側板内に埋め込むことにより、これと同時にガイド部材を側板に対して取り付けることができ、このため組み付け作業性の向上をも図ることができる。
【００１３】
請求項３に記載の発明は、前記ガイド部材に、前記鍵盤蓋が前記鍵盤部を露出させて前記操作部の上方を覆う位置で、前記鍵盤蓋を位置規制する位置規制部が設けられていることを特徴とする請求項１または２に記載の鍵盤楽器の蓋開閉装置である。
この発明によれば、請求項１に記載された発明によって、鍵盤蓋のスライド動作に伴って鍵盤蓋が前後方向にどのように傾いても、鍵盤蓋とラック部材とが干渉し合うことがないため、スライド時における鍵盤蓋の前後方向への傾きを考慮する必要がなく、ガイド部材の任意の位置に鍵盤蓋の位置規制部を設けることができると共に、この位置規制部によって鍵盤部を露出させて操作部の上方を覆う位置に鍵盤蓋を勝手にスライドしないように確実に位置規制することができ、これにより操作部を鍵盤蓋で隠して鍵盤部のみを露出させた状態でも良好に演奏することができる。
【００１４】
請求項４に記載の発明は、前記位置規制部に、前記鍵盤蓋の前端部側を係脱可能に係止する係止部が設けられていることを特徴とする請求項３に記載の鍵盤楽器の蓋開閉装置である。
この発明によれば、鍵盤蓋をスライドさせてガイド部材に設けられた位置規制部で鍵盤蓋の前部両側を位置規制すると、この位置規制部に設けられた係止部によって鍵盤蓋の前端部側が係脱可能に係止されるので、使用者が意識をもって係止部に対する鍵盤蓋の係止を解除しなければ、鍵盤蓋をスライドさせることができないため、鍵盤蓋をスライド途中の所定位置に確実に係止させることができ、より一層、安全に演奏することができる。
【００１５】
【発明の実施の形態】
［第１実施形態］
以下、図１〜図４を参照して、この発明の鍵盤楽器の第１実施形態について説明する。なお、図７〜図９に示された従来例と同一部分には同一符号を付して説明する。
この鍵盤楽器は、図２に示すように、楽器本体１の一対の側板５内にそれぞれ鍵盤蓋１０のピニオン１１が噛み合って転動するラック部材１２を埋め込んだ構成になっている。すなわち、側板５の後部側内面には、図３に示すように、ラック部材１２を埋め込むための嵌合凹部２０が前後方向に沿って設けられており、ピニオン１１は、それぞれ鍵盤蓋１０の後部における左右両側（図１では紙面の表紙方向）の外部側方に突出した状態で、取付軸１１ａによって鍵盤蓋１０に取り付けられている。
【００１６】
このため、嵌合凹部２０の中間部分には、ピニオン１１およびその取付軸１１ａの先端を上方から嵌合凹部２０内に挿入するための挿入溝２１が側板５の上端部から嵌合凹部２０に亘ってほぼ垂直に設けられている。
また、ラック部材１２は、従来例と同様、ピニオン１１が噛み合って転動するラック部１２ａと、ピニオン１１の取付軸１１ａの先端をガイドする軸ガイド溝１２ｂとからなり、これらが金属や合成樹脂などの剛性の高い材料によって一体に形成されている。この場合、軸ガイド溝１２ｂには、図２および図３に示すように、ピニオン１１を上方からラック部１２ａ上に挿入させると共に、ピニオン１１の取付軸１１ａの先端を上方から軸ガイド溝１２ｂに挿入するための切欠き部２２が挿入溝２１に対応して設けられている。
【００１７】
一方、ガイド部材１４は、図１、図２、図４に示すように、ローラ１３が転動するガイド面１４ａが鍵盤部７の前端部から操作部８の後端部に亘って前下がり（図１では左下がり）に傾斜した形状に形成され、側板５の内面における前部（図１では左側部）にボルト１５によってサイドブロック１８と共に固定されている。このガイド部材１４のガイド面１４ａにおける上端部には、従来例と同様、鍵盤蓋１０が楽器本体１の上板６の下側に完全に収納されたときに、ローラ１３の前後方向への動きを規制する第１位置規制部１６が設けられており、このガイド面１４ａの下端部には、鍵盤蓋１０と前板３との間に手や指を挟まないように、鍵盤蓋１０が操作部８および鍵盤部７を完全に覆う直前で、ローラ１３の前後方向への動きを規制する第２位置規制部１７が設けられている。
【００１８】
また、このガイド部材１４のガイド面１４ａの所定個所つまり第１位置規制部１６の前側部分には、図１に示すように、鍵盤蓋１０が鍵盤部７を露出させた状態で操作部８の上方を覆ったときに、鍵盤蓋１０の動きを規制する第３位置規制部２３が設けられている。この第３位置規制部２３は、図２および図４に示すように、ほぼＶ字状の凹部で、その前部および後部が急な傾斜面に形成され、これによりローラ１３の前後方向への動きを規制するように構成されている。また、この第３位置規制部２３は、鍵盤蓋１０の前部を持ち上げると、ローラ１３が第３位置規制部２３から離脱し、この状態で鍵盤蓋１０が前後方向に移動するように構成されている。
【００１９】
このような鍵盤楽器の蓋開閉装置によれば、演奏しないときに、鍵盤蓋１０を楽器本体１の上板６の下側から楽器本体１の前部に引き出して、鍵盤部７および操作部８の上方を鍵盤蓋１０で覆って保護することができ、また演奏するときに、鍵盤蓋１０を楽器本体１の前部側から後部側に向けてスライドさせて上板６の下側に収納させると、鍵盤部７および操作部８が露出し、これにより鍵盤部７および操作部８を操作して演奏することができる。このように鍵盤蓋１０がスライドするときには、鍵盤蓋１０の後部に取り付けられたピニオン１１の取付軸１１ａがラック部材１２の軸ガイド溝１２ｂにガイドされながら、ピニオン１１がラック部材１２のラック部１２ａに噛み合って転動し、且つ鍵盤蓋１０の前部に取り付けられたローラ１３がガイド部材１４のガイド面１４ａ上を転動するので、鍵盤蓋１０の重量が重くても、軽い力で滑らかに鍵盤蓋１０をスライドさせることができる。
【００２０】
このときに、鍵盤蓋１０が楽器本体１の上板６の下側に完全に収納されると、ローラ１３がガイド部材１４の第１位置規制部１６に位置規制され、これにより鍵盤部７および操作部８を露出させた状態で、鍵盤蓋１０が勝手にスライドしないように維持されるので、鍵盤部７および操作部８を操作して良好に演奏することができる。また、鍵盤蓋１０が上板６の下側から引き出されて鍵盤部７および操作部８を覆って完全に閉じる直前になると、ローラ１３がガイド部材１４の第２位置規制部１７に位置規制され、これにより鍵盤蓋１０と前板３との間に手や指を挟まないようにすることができる。なお、第２位置規制部１７からローラ１３を離脱させて鍵盤蓋１０を手前側（図１では左側）にスライドさせれば、ローラ１３が楽器本体１の前板３の上端部上に配置され、これにより鍵盤蓋１０で鍵盤部７および操作部８を覆い隠して保護することができる。
【００２１】
また、鍵盤蓋１０の移動途中では、ローラ１３が第３位置規制部２３に位置規制され、これにより操作部８を覆い隠して鍵盤部７を露出させることができる。この状態では、第３位置規制部２３がその前部および後部が急な傾斜面に形成されたほぼＶ字状の凹部に形成されているので、鍵盤蓋１０の前部を持ち上げなければ、ローラ１３が第３位置規制部２３から離脱しないため、鍵盤蓋１０が勝手にスライドしないように、鍵盤蓋１０を位置規制することができる。このため、鍵盤蓋１０で操作部８を覆い隠して鍵盤部７を露出させた状態でも、安全に鍵盤部７を押鍵操作して演奏することができる。なお、この状態のときに、鍵盤蓋１０の前部を持ち上げてローラ１３を第３位置規制部２３から離脱させると、鍵盤蓋１０を前後方向にスライドさせることができ、これにより鍵盤蓋１０を上板６の下側に収納させたり、鍵盤蓋１０で鍵盤部７および操作部８を覆い隠すことができる。
【００２２】
このように、この鍵盤楽器の蓋開閉装置によれば、鍵盤蓋１０をスライドさせるときに、鍵盤蓋１０の前部に設けられたローラ１３が側板５のガイド部材１４に沿ってガイドされると共に、鍵盤蓋１０の後部に取り付けられたピニオン１１がラック部材１２のラック部１２ａに噛み合って転動するので、鍵盤蓋１０の重量が重くても、軽い力で滑らかにスライドさせることができるほか、特にラック部材１２が楽器本体１の側板５に設けられた嵌合凹部２０に嵌合して埋め込まれているので、従来例のようにラック部材１２が楽器本体１内に突出して鍵盤蓋１０のスライド軌跡の下側に接近することがなく、ラック部材１２を鍵盤蓋１０のスライド軌跡の外部側方に配置させることができ、これにより鍵盤蓋１０のスライド動作に伴って鍵盤蓋１０が前後方向にどのように傾いても、鍵盤蓋１０とラック部材１２とが接触して互いに干渉し合うことがなく、円滑に鍵盤蓋１０をスライドさせることができる。
【００２３】
また、この鍵盤楽器の蓋開閉装置では、ラック部材１２が楽器本体１の側板５に設けられた嵌合凹部２０に嵌合して埋め込まれていることにより、スライド動作に伴って鍵盤蓋１０が前後方向にどのように傾いても、鍵盤蓋１０とラック部材１２とが互いに干渉し合うことがないので、スライド時における鍵盤蓋１０の前後方向への傾きを考慮する必要がなく、ガイド部材１２の任意の位置に鍵盤蓋１０を位置規制する第３位置規制部２３を設けることができ、しかもこの第３位置規制部２３によって鍵盤部７を露出させて操作部８の上方を覆う位置に鍵盤蓋１０を確実に位置規制することができ、これにより操作部８を鍵盤蓋１０で隠して鍵盤部７のみを露出させた状態でも、良好に演奏することができる。
【００２４】
［第２実施形態］
次に、図５を参照して、この発明の鍵盤楽器の蓋開閉装置の第２実施形態について説明する。この場合には、図１〜図４に示された第１実施形態と同一部分に同一符号を付して説明する。
この鍵盤楽器の蓋開閉装置は、ラック部材１２とガイド部材１４とを一体に形成した構造になっている。すなわち、ラック部材１２の前端部とガイド部材１４の後端部とは、互いに重なり合った状態、つまりラック部材１２が嵌合する側板５の嵌合凹部２０の深さだけガイド部材１４が側板５の内側にずれた状態で、一体に形成されている。このため、ガイド部材１１は、ラック部材１２が側板５の嵌合凹部２０に嵌め込まれたときに、側板５の内面に密着して取り付けられる。なお、この場合においても、ラック部材１２は、第１実施形態と同様、ボルト１５によってサイドブロック１８と共に固定されることが望ましい。
【００２５】
このような鍵盤楽器の蓋開閉装置では、第１実施形態と同様の作用効果があるほか、特にラック部材１２とガイド部材１４とを一体に形成したので、部品点数の削減を図ることができると共に、ラック部材１２を楽器本体１の側板５に設けられた嵌合凹部２０に嵌合させて埋め込むことにより、これと同時にガイド部材１４を側板５に対して取り付けることができ、このため組み付け作業性の向上をも図ることができる。
【００２６】
［第３実施形態］
次に、図６を参照して、この発明の鍵盤楽器の蓋開閉装置の第３実施形態について説明する。この場合にも、図１〜図４に示された第１実施形態と同一部分に同一符号を付して説明する。
この鍵盤楽器の蓋開閉装置は、ガイド部材１４の第３位置規制部２３に鍵盤蓋１０のローラ１３を係脱可能に係止する係止部３０を設けた構造になっている。すなわち、この係止部３０は、図６に示すように、第３位置規制部２３の前部にローラ１３が後方（同図では右方）から挿入するオーバーハング状に形成され、これにより挿入されたローラ１３を係止して前方（同図では左方）および上方に移動するのを阻止するように構成されている。
【００２７】
このような鍵盤楽器の蓋開閉装置によれば、第１実施形態と同様の作用効果があるほか、特に鍵盤蓋１０のスライド途中において、ガイド部材１４に設けられた第３位置規制部２３で鍵盤蓋１０のローラ１３が位置規制されると、この第３位置規制部２３に設けられた係止部３０によって鍵盤蓋１０のローラ１３が係脱可能に係止され、これにより鍵盤蓋１０が勝手に前方および上方に動かないように確実に係止することができる。
【００２８】
また、この状態では、鍵盤蓋１０を後方に向けて移動させてローラ１３を係止部３０から離脱させた上、鍵盤蓋１０の前部を持ち上げなければ、係止部３０と第３位置規制部２３とによるローラ１３の係止を解除することができないため、使用者が意識をもって係止部３０および第３位置規制部２３によるローラ１３の係止を解除しなければ、鍵盤蓋１０をスライドさせることができない。このため、ローラ１３を第３位置規制部２３に配置させて鍵盤蓋１０をスライド途中の所定位置に配置させても、鍵盤蓋１０が勝手に動かないように確実に係止することができ、これにより第１実施形態のものよりも、より一層、確実に鍵盤蓋１０を係止させた状態で、安全に演奏することができる。
【００２９】
なお、上記第３実施形態では、第１実施形態と同様、ラック部材１２とガイド部材１４とを別々に形成したが、これに限らず、第２実施形態と同様、ラック部材１２とガイド部材１４とを一体に形成しても良い。このようにすれば、第２実施形態と同様、部品点数の削減を図ることができると共に、組み付け作業性の向上をも図ることができる。
【００３０】
【発明の効果】
以上説明したように、この発明によれば、鍵盤蓋をスライドさせると、鍵盤蓋の前部両側が側板のガイド部材に沿ってガイドされると共に、鍵盤蓋の後部両側に取り付けられたピニオンがラック部材に噛み合って転動するので、鍵盤蓋を軽い力で滑らかにスライドさせることができるほか、特に一対のラック部材がそれぞれ楽器本体の両側に位置する一対の側板内にそれぞれ埋め込まれているので、従来例のようにラック部材が楽器本体内に突出して鍵盤蓋のスライド軌跡の下側に接近することがなく、ラック部材を鍵盤蓋のスライド軌跡の外部側方に配置させることができ、このため鍵盤蓋のスライド動作に伴って鍵盤蓋が前後方向にどのように傾いても、鍵盤蓋とラック部材とが干渉し合うことがなく、円滑に鍵盤蓋をスライドさせることができる。
【００３１】
この場合、ラック部材とガイド部材とを一体に形成することにより、部品点数の削減を図ることができると共に、ラック部材を楽器本体の側板内に埋め込むのと同時に、ガイド部材を側板に対して取り付けることができ、このため組み付け作業性の向上をも図ることができる。
また、鍵盤蓋のスライド動作に伴って鍵盤蓋が前後方向にどのように傾いても、鍵盤蓋とラック部材とが干渉し合うことがないため、ガイド部材の任意の位置、例えば鍵盤蓋が鍵盤部を露出させて操作部の上方を覆う位置に、鍵盤蓋を位置規制する位置規制部を設けることができる。このため、この位置規制部によって鍵盤部を露出させて操作部の上方を覆う位置に鍵盤蓋が勝手にスライドしないように確実に位置規制することができ、これにより操作部を鍵盤蓋で隠して鍵盤部のみを露出させた状態でも、良好に演奏することができる。
【００３２】
さらに、位置規制部には、鍵盤蓋の前端部を係脱可能に係止する係止部が設けられていることにより、鍵盤蓋をスライドさせてガイド部材に設けられた位置規制部で鍵盤蓋の前部両側を位置規制すると、この位置規制部に設けられた係止部によって鍵盤蓋の前端部側が係脱可能に係止されるので、使用者が意識をもって係止部に対する鍵盤蓋の係止を解除しなければ、鍵盤蓋をスライドさせることができないため、鍵盤蓋をスライド途中の所定位置に確実に係止させて安全に演奏することができる。
【図面の簡単な説明】
【図１】この発明に係る鍵盤楽器の蓋開閉装置の第１実施形態を示した断面図。
【図２】図１の側板にラック部材とガイド部材とを取り付けた状態の斜視図。
【図３】図２における側板とラック部材との分解斜視図。
【図４】図２におけるガイド部材を示した斜視図。
【図５】この発明の第２実施形態において側板に取り付けられるラック部材とガイド部材とを一体に形成した斜視図。
【図６】この発明の第３実施形態におけるガイド部材を示した斜視図。
【図７】従来の鍵盤楽器の蓋開閉装置を示した断面図。
【図８】図７の従来例において側板にラック部材とガイド部材とを取り付けた斜視図。
【図９】図７の従来例において鍵盤蓋のスライド途中の状態を示した断面図。
【符号の説明】
１　楽器本体
５　側板
７　鍵盤部
８　操作部
１０　鍵盤蓋
１１　ピニオン
１１ａ　取付軸
１２　ラック部材
１２ａ　ラック部
１２ｂ　軸ガイド溝
１３　ローラ
１４　ガイド部材
１４ａ　ガイド面
２０　嵌合凹部
２３　第３位置規制部
３０　係止部
【図１】
2004029644.tif 000003
【図２】
2004029644.tif 000004
【図３】
2004029644.tif 000005
【図４】
2004029644.tif 000006
【図５】
2004029644.tif 000007
【図６】
2004029644.tif 000008
【図７】
2004029644.tif 000009
【図８】
2004029644.tif 000010
【図９】
2004029644.tif 000011